(57)【特許請求の範囲】
【請求項１】
パチンコ球が発射される遊技盤と、
前記遊技盤に発射するためのパチンコ球を受ける上皿と、
前記遊技盤に設けられ、パチンコ球が入球することが可能な始動口と、
前記遊技盤に設けられ、開閉可能な大入賞口と、
前記遊技盤に設けられた図柄表示装置と、
パチンコ球が前記始動口に入球した場合に前記大入賞口を開放する大当りであるか否かを判定するものであって、大当りであると判定した場合に前記大入賞口を開放するメイン制御装置と、
前記図柄表示装置を駆動制御することで前記図柄表示装置に前記メイン制御装置の大当りであるか否かの判定結果を表示する表示制御装置と、
パチンコ球が貯留された球タンクと、
前記球タンク内のパチンコ球を前記上皿内に払出す払出し機構と、
前記払出し機構を駆動制御するものであって、前記メイン制御装置に８本の信号線を介して接続された賞球制御装置を備え、
前記メイン制御装置は、パチンコ球が前記始動口に入球した場合に下記の１）駆動指令を前記８本の信号線を通して前記賞球制御装置に送信すると共に下記の２）個数指令を駆動指令と同一の前記８本の信号線を通して前記賞球制御装置に送信するものであり、
１）前記払出し機構を駆動することを前記賞球制御装置に通知するものであって、上下位の４ビットで同種の要素を２個ずつ有し且つ上下位の４ビットが相違する１バイトの信号からなる駆動指令
２）パチンコ球の払出し個数を前記賞球制御装置に通知するものであって、上下位の４ビットが同一な１バイトの信号からなる個数指令
前記賞球制御装置は、前記８本の信号線の全てが正常に接続されている状態では前記メイン制御装置から送信された駆動指令を受信することで前記払出し機構を駆動すると認識すると共に前記メイン制御装置から送信された個数指令を受信することでパチンコ球の払出し個数が設定数であると認識するものであり、
前記駆動指令は、前記賞球制御装置が前記個数指令を受信することでパチンコ球の払出し個数として前記設定数に比べて多い数を認識するように前記信号線相互間が入れ替えられた場合に前記賞球制御装置が前記払出し機構を駆動すると認識不能な異常なものになることを特徴とするパチンコ機。
【請求項２】
前記賞球制御装置は、前記駆動指令として異常なものを受信した場合に前記メイン制御装置に異常信号を送信するものであり、
前記メイン制御装置は、前記賞球制御装置から送信された異常信号を受信した場合に外部機器に異常信号を送信することで異常が発生したことを報知するものであることを特徴とする請求項１に記載のパチンコ機。
【請求項３】
前記賞球制御装置は、前記駆動指令として異常なものを受信した場合に前記メイン制御装置に異常信号を送信するものであり、
前記メイン制御装置は、前記賞球制御装置から送信された異常信号を受信した場合に前記表示制御装置に異常信号を送信するものであり、
前記表示制御装置は、前記メイン制御装置から送信された異常信号を受信した場合に前記図柄表示装置に異常発生を表示するものであることを特徴とする請求項１に記載のパチンコ機。
【発明の詳細な説明】
【技術分野】
【０００１】
本発明は、指令手段から複数本の信号線を通して制御手段にパチンコ球の払出し指令を送信する構成のパチンコ機に関する。
【背景技術】
【０００２】
上記パチンコ機には、制御手段が払出し指令を受信することに基づいて払出し機構を駆動し、所定個数のパチンコ球を払出し機構から払出す構成のものがある。
【先行技術文献】
【特許文献】
【０００３】
【特許文献１】特開平１０−３１４４０６号公報
【発明の概要】
【発明が解決しようとする課題】
【０００４】
この構成の場合、複数本の信号線が不正に入替えられると、払出し指令の指令内容が変わり、所定個数を越えるパチンコ球が払出されることがあるので、パチンコ球が不正に獲得されてしまう虞れがある。
【０００５】
本発明は上記事情に鑑みてなされたものであり、その目的は、パチンコ球の不正な獲得を防止できるパチンコ機を提供することにある。
【課題を解決するための手段】
【０００６】
本発明のパチンコ機はパチンコ球が発射される遊技盤と、前記遊技盤に発射するためのパチンコ球を受ける上皿と、前記遊技盤に設けられパチンコ球が入球することが可能な始動口と、前記遊技盤に設けられ開閉可能な大入賞口と、前記遊技盤に設けられた図柄表示装置と、パチンコ球が前記始動口に入球した場合に前記大入賞口を開放する大当りであるか否かを判定するものであって大当りであると判定した場合に前記大入賞口を開放するメイン制御装置と、前記図柄表示装置を駆動制御することで前記図柄表示装置に前記メイン制御装置の大当りであるか否かの判定結果を表示する表示制御装置と、パチンコ球が貯留された球タンクと、前記球タンク内のパチンコ球を前記上皿内に払出す払出し機構と、前記払出し機構を駆動制御するものであって前記メイン制御装置に８本の信号線を介して接続された賞球制御装置を備え、前記メイン制御装置はパチンコ球が前記始動口に入球した場合に１）前記払出し機構を駆動することを前記賞球制御装置に通知するものであって上下位の４ビットで同種の要素を２個ずつ有し且つ上下位の４ビットが相違する１バイトの信号からなる駆動指令を前記８本の信号線を通して前記賞球制御装置に送信すると共に２）パチンコ球の払出し個数を前記賞球制御装置に通知するものであって上下位の４ビットが同一な１バイトの信号からなる個数指令を駆動指令と同一の前記８本の信号線を通して前記賞球制御装置に送信するものであり、前記賞球制御装置は前記８本の信号線の全てが正常に接続されている状態では前記メイン制御装置から送信された駆動指令を受信することで前記払出し機構を駆動すると認識すると共に前記メイン制御装置から送信された個数指令を受信することでパチンコ球の払出し個数が設定数であると認識するものであり、前記駆動指令は前記賞球制御装置が前記個数指令を受信することでパチンコ球の払出し個数として前記設定数に比べて多い数を認識するように前記信号線相互間が入れ替えられた場合に前記賞球制御装置が前記払出し機構を駆動すると認識不能な異常なものになるところに特徴を有する。
【発明の効果】
【０００７】
賞球制御装置が個数指令を受信することでパチンコ球の払出し個数として設定数に比べて多い数を認識するように信号線相互間が入れ替えられた場合には駆動指令が異常になり、賞球制御装置が駆動指令から払出し機構を駆動すると認識不能になる。このため、払出し機構からパチンコ球が払出されないので、パチンコ球の不正な獲得が防止される。
【図面の簡単な説明】
【０００８】
【図１】本発明の一実施例を示す図（パラレル信号線の接続状態と払出し指令との関係を説明するための図）
【図２】払出し指令の内容一覧を示す図
【図３】メイン基板と賞球基板との接続状態を示す図
【図４】電気的構成を示すブロック図
【図５】全体構成を示す前面図
【図６】全体構成を示す後面図
【図７】払出し機構の内部構成を示す後面図
【発明を実施するための形態】
【０００９】
以下、本発明の一実施例を図面に基づいて説明する。パチンコホールの台島には、図６に示すように、外枠１が設置されている。この外枠１は前後面が開口する角筒状をなすものであり、外枠１には、図５に示すように、前面扉２が左側辺部を中心に回動可能に装着されている。
【００１０】
前面扉２の前面には右下部に位置して発射ハンドル３が回動可能に装着されており、発射ハンドル３の後方には、図６に示すように、発射モータ４が配設されている。この発射モータ４の回転軸（図示せず）には、図５に示すように、クランク機構（図示せず）を介して打球槌５が連結されており、発射ハンドル３が図５の時計回り方向へ回動操作されると、発射モータ４に電源が与えられ、打球槌５が軸６を中心に回動する。
【００１１】
前面扉２の前面には横長な長方形状の皿板７が左側辺部を中心に回動可能に装着されており、皿板７の前面には上皿８が固定されている。この上皿８内にはパチンコ球９（図７参照）が貯溜されており、打球槌５が回動すると、上皿８内のパチンコ球９が打球槌５により弾かれる。
【００１２】
前面扉２の前面には、図５に示すように、矩形枠状の窓枠１０が左側辺部を中心に回動可能に装着されており、窓枠１０の内周面には透明なガラス窓（図示せず）が保持されている。また、前面扉２の後面には額縁状の機構盤（図示せず）が固定されている。この機構盤には遊技盤１１が保持されており、遊技盤１１は窓枠１０のガラス窓により前方から覆われている。
【００１３】
遊技盤１１の前面には外レール１２および内レール１３が固定されており、打球槌５により弾かれたパチンコ球は外レール１２および内レール１３間を通して遊技盤１１内の上部に放出される。また、前面扉２の前面には右側部に位置して枠鍵１４が装着されており、枠鍵１４は前面扉２と皿板７と窓枠１０とを密着した閉鎖状態にロックしている。
【００１４】
遊技盤１１の前面には台板１５が固定されており、台板１５には図柄表示装置１６が固定されている。この図柄表示装置１６はカラー液晶表示器からなるものであり、図柄表示装置１６の後面には表示回路基板（図示せず）が固定されている。
【００１５】
表示回路基板には表示制御装置１７（図４参照）が搭載されており、図柄表示装置１６は、図４に示すように、表示制御装置１７にドライブ回路１８を介して電気的に接続されている。この表示制御装置１７はマイクロコンピュータを主体に構成されたものであり、図柄表示装置１６を駆動制御することに基づいて図柄表示装置１６に図柄を左列，中列，右列の横３列に表示する。また、遊技盤１１の後面には、図６に示すように、センタカバー１９が固定されている。このセンタカバー１９は表示回路基板を後方から覆うものであり、センタカバー１９の後面にはメイン回路ボックス２０が固定されている。
【００１６】
メイン回路ボックス２０内にはメイン基板２１が収納されており、メイン基板２１には指令手段に相当するメイン制御装置２２（図４参照）が搭載されている。このメイン制御装置２２は８ビットのマイクロコンピュータを主体に構成されたものであり、メイン制御装置２２には、図４に示すように、表示制御装置１７が電気的に接続されている。
【００１７】
遊技盤１１の前面には、図５に示すように、図柄表示装置１６の下方に位置して上面が開口するポケット状の始動口２３が固定されている。この始動口２３内には始動口センサ２４（図４参照）が配設されており、始動口センサ２４は、図４に示すように、メイン制御装置２２に電気的に接続されている。この始動口センサ２４は始動口２３内にパチンコ球が入球したことを検出して始動信号を出力する近接スイッチからなるものであり、メイン制御装置２２は始動信号の時間的な検出タイミングに基づいて大当りおよび外れを判定し、大当りおよび外れの判定結果を表示制御装置１７に出力する。
【００１８】
表示制御装置１７はメイン制御装置２２から大当りおよび外れの判定結果が与えられると、判定結果を検出する時間的なタイミングに基づいて左列の図柄，中列の図柄，右列の図柄を設定する。そして、図柄表示装置１６の左列，中列，右列に設定図柄を表示し、遊技者に大当りおよび外れの判定結果を知らせる。
【００１９】
遊技盤１１の前面には、図５に示すように、台板２５が装着されている。この台板２５には前後面が開口する角筒状の大入賞口（図示せず）が一体形成されており、大入賞口の前端部には扉２６が軸２７を中心に回動可能に装着されている。この扉２６は大入賞口ソレノイド２８（図４参照）のプランジャにクランク機構（図示せず）を介して連結されており、大入賞口ソレノイド２８の通電時には扉２６が水平状態に回動することに基づいて大入賞口を開放し、大入賞口ソレノイド２８の断電時には扉２６が垂直状態に回動することに基づいて大入賞口を閉鎖する。
【００２０】
大入賞口ソレノイド２８は、図４に示すように、ドライブ回路２９を介してメイン制御装置２２に電気的に接続されており、メイン制御装置２２は図柄表示装置１６に大当り図柄が表示されたことを検出すると、大入賞口ソレノイド２８に電源を与え、大入賞口を設定時間（例えば３０秒間）だけ開放する。この開放動作はラウンド動作と称されるものであり、設定回数（例えば１６ラウンド）だけ繰返される（大当り動作）。
【００２１】
大入賞口内には大入賞口センサ３０（図４参照）が配設されている。この大入賞口センサ３０は大入賞口内にパチンコ球が入球したことを検出して大入賞信号を出力する近接スイッチからなるものであり、図４に示すように、メイン制御装置２２に電気的に接続されている。
【００２２】
遊技盤１１の前面には、図５に示すように、左右両側部に位置して普通入賞口３１が装着されている。これら各普通入賞口３１は上面が開口するポケット状をなすものであり、各普通入賞口３１内には普通入賞口センサ３２（図４参照）が配設されている。これら各普通入賞口センサ３２は普通入賞口３１内にパチンコ球が入球したことを検出して普通入賞信号を出力する近接スイッチからなるものであり、図４に示すように、メイン制御装置２２に電気的に接続されている。
【００２３】
前面扉２の後面には、図６に示すように、メインセット３３が前面扉２と同一の側辺部を中心に回動可能に装着されている。このメインセット３３はセンタカバー１９を囲う矩形枠状をなすものであり、メインセット３３の後面には上端部に位置して球タンク３４が固定され、球タンク３４内にはパチンコ球９が貯溜されている。また、メインセット３３の後面にはタンクレール３５が固定されている。このタンクレール３５は一端部が球タンク３４内に開口するものであり、メインセット３３にはタンクレール３５の他端部に位置して下記構成の払出し機構３６が装着されている。
＜払出し機構３６について＞
メインセット３３には払出しケース３７が固定されており、払出しケース３７内には、図７に示すように、球通路３８が形成されている。この球通路３８の上端部はタンクレール３５の他端部に繋がっており、球通路３８内には球タンク３４内からタンクレール３５を通してパチンコ球９が一列に充填されている。この球通路３８内の中間部にはスプロケット３９が軸４０を中心に回動可能に装着されており、スプロケット３９の外周部には凹状をなす複数の球受け部４１が形成されている。
【００２４】
払出しケース３７内にはパルスモータからなる払出しモータ４２（図４参照）が配設されている。この払出しモータ４２の回転軸はスプロケット３９の軸４０に連結されており、払出しモータ４２の駆動停止時には、図７に実線で示すように、球通路３８内の最下部のパチンコ球９がスプロケット３９の１個の球受け部４１内に保持されている。この状態で払出しモータ４２が設定量Ｒだけ駆動すると、スプロケット３９が図７の反時計回り方向へ設定量Ｒだけ回転する。すると、図７に二点鎖線で示すように、１個の球受け部４１内から１個のパチンコ球９が排出され、球通路３８の下端部を通して払出しケース３７内から払出される。払出し機構３６は以上のように構成されている。
【００２５】
メインセット３３には、図６に示すように、球通路４３が設けられており、払出しケース３７内から払出されたパチンコ球９は球通路４３を通して上皿８内に供給される。また、前面扉２の前面には、図５に示すように、下皿４４が固定されており、上皿８内から溢れたパチンコ球は球通路４３を通して下皿４４内に供給される。
【００２６】
上皿８の前面には球貸しスイッチ４５が装着されており、球貸しスイッチ４５は、図４に示すように、メイン制御装置２２に電気的に接続されている。この球貸しスイッチ４５は自己復帰形のプッシュスイッチからなるものであり、後方へ押圧操作されることに基づいて球貸し信号を出力する。
【００２７】
メインセット３３の後面には、図６に示すように、賞球回路ボックス４６が固定されている。この賞球回路ボックス４６内には賞球基板４７が収納されており、賞球基板４７には賞球制御装置４８（図４参照）が搭載されている。この賞球制御装置４８は制御手段に相当するものであり、８ビットのマイクロコンピュータを主体に構成されている。
【００２８】
メイン基板２１および賞球基板４７には、図３に示すように、電源基板４９が電気的に接続されている。この電源基板４９には降圧回路，整流回路，バックアップ電源（いずれも図示せず）が搭載されており、通常時には商用交流電源から降圧回路，整流回路を通して賞球制御装置４８およびメイン制御装置２２に制御電源が与えられ、商用交流電源の遮断時にはバックアップ電源から賞球制御装置４８およびメイン制御装置２２に制御電源が与えられる。
【００２９】
賞球制御装置４８には発射センサ５０（図４参照）が電気的に接続されている。この発射センサ５０は近接スイッチからなるものであり、発射ハンドル３が図５の時計回り方向へ回動操作されたことを検出して発射信号を出力する。また、賞球制御装置４８には、図４に示すように、ドライブ回路５１を介して発射モータ４が電気的に接続されており、賞球制御装置４８は発射信号を検出することに基づいて発射モータ４に電源を与え、上述したパチンコ球９の打出し動作を実行する。
【００３０】
賞球制御装置４８は、図３に示すように、メイン制御装置２２に８本のパラレル信号線５２〜５９および１本のストローブ信号線６０を介して電気的に接続されており、メイン制御装置２２はパラレル信号線５２〜５９およびストローブ信号線６０を通して賞球制御装置４８に各種の指令を出力する。
【００３１】
図２はメイン制御装置２２から賞球制御装置４８に出力される払出し指令を示すものである。この払出し指令は駆動指令および個数指令からなるものであり、駆動指令は８ビットのパラレル信号（６ＣＨ，上下位の４ビットで同種の要素を２個ずつ有し且つ上下位の４ビットが相違するする１バイトのパラレル信号）に設定され、個数指令は駆動指令に連続して送信される８ビットのパラレル信号  （１１Ｈ〜ＦＦＨ，上下位の４ビットが同一な１バイトのパラレル信号）に設定されている。
【００３２】
賞球制御装置４８には、図４に示すように、ドライブ回路６１を介して払出しモータ４２が電気的に接続されており、賞球制御装置４８はメイン制御装置２２から払出し指令が与えられることに基づいて払出しモータ４２を駆動し、球タンク３４内から上皿８内にパチンコ球９を払出す。
【００３３】
次に上記構成の作用について説明する。
＜パラレル信号線５２〜５９が正常に接続されている場合＞
メイン制御装置２２は始動口センサ２４からの始動信号を検出すると、賞球制御装置４８に駆動指令（６ＣＨ）および個数指令（５５Ｈ）を出力する。すると、賞球制御装置４８は払出しモータ４２の回転量を「５Ｒ」に設定し、払出しモータ４２を「５Ｒ」だけ駆動することに基づいて払出しケース３７内から上皿８内に５個のパチンコ球９を払出す。
【００３４】
メイン制御装置２２は普通入賞口センサ３２からの普通入賞信号を検出すると、賞球制御装置４８に駆動指令（６ＣＨ）および個数指令（７７Ｈ）を出力する。すると、賞球制御装置４７は払出しモータ４２の回転量を「７Ｒ」に設定し、払出しモータ４２を「７Ｒ」だけ駆動することに基づいて払出しケース３７内から上皿８内に７個のパチンコ球９を払出す。
【００３５】
メイン制御装置２２は大入賞口センサ３０からの大入賞信号を検出すると、賞球制御装置４８に駆動指令（６ＣＨ）および個数指令（ＥＥＨ）を出力する。すると、賞球制御装置４８は払出しモータ４２の回転量を「１４Ｒ」に設定し、払出しモータ４２を「１４Ｒ」だけ駆動することに基づいて払出しケース３７内から上皿８内に１４個のパチンコ球９を払出す。
【００３６】
メイン制御装置２２は球貸しスイッチ４５からの球貸し信号を検出すると、賞球制御装置４８に駆動指令（６ＣＨ）および個数指令（ＦＦＨ）を出力した後に駆動指令（６ＣＨ）および個数指令（９９Ｈ）を出力する。すると、賞球制御装置４８は払出しモータ４２を「１５Ｒ」だけ駆動することに基づいて払出しケース３７内から上皿８内に１５個のパチンコ球９を払出す。次に、払出しモータ４２を「９Ｒ」だけ駆動することに基づいて払出しケース３７内から上皿８内に９個のパチンコ球９を払出し、パチンコ球９の合計払出数を２４個にする。
【００３７】
尚、メイン制御装置２２は払出し指令の他に停止指令および復帰指令を出力する機能を有している。これら停止指令および復帰指令は２バイトの信号（６ＤＨ，２０Ｈ）および（６ＤＨ，２０Ｈ）からなるものであり、賞球制御装置４８は停止指令および復帰指令を検出することに基づいて下記の動作を実行する。
＜停止指令を検出した場合＞
発射モータ４の駆動状態で停止指令を検出したときには発射モータ４を駆動停止し、発射モータ４の停止状態で停止指令を検出したときには発射信号を検出しても発射モータ４を停止状態に保持する。また、払出しモータ４２の駆動状態で停止指令を検出したときには払出しモータ４２を駆動停止し、払出しモータ４２の停止状態で停止指令を検出したときには始動信号，普通入賞信号，大入賞信号，球貸し信号を検出しても払出しモータ４２を停止状態に保持する。
＜復帰指令を検出した場合＞
停止指令の検出後に復帰指令を検出したときには停止指令を解除する。そして、発射信号を検出することに基づいて発射モータ４を駆動し、始動信号，普通入賞信号，大入賞信号，球貸し信号を検出することに基づいて払出しモータ４２を駆動する。
＜パラレル信号線５２〜５９が不正に入替えられた場合＞
個数指令の指令内容が多くなるようにパラレル信号線５２〜５９が入替えられたときには駆動指令が異常になる。このため、払出し指令が成立せず、パチンコ球９の払出し動作が実行されない。以下、パラレル信号線５２〜５９の多数の入替状態のうちから２種類を例示し、駆動指令が異常になる様子を説明する。
【００３８】
パラレル信号線５２と５５とが入替えられ、しかも、パラレル信号線５６と５９とが入替えられた場合には、図１の（ａ）に示すように、５個の個数指令（５５Ｈ）が１２個の個数指令（ＣＣＨ）になる。しかしながら、駆動指令（６ＣＨ）が異常な（６５Ｈ）になるので、払出し指令が成立せず、パチンコ球９の払出し動作が実行されない。
【００３９】
パラレル信号線５２と５３とが入替えられ、しかも、パラレル信号線５６と５７とが入替えられた場合には、図１の（ｂ）に示すように、５個の個数指令（５５Ｈ）が９個の個数指令（９９Ｈ）になる。しかしながら、駆動指令（６ＣＨ）が異常な（ＡＣＨ）になるので、払出し指令が成立せず、パチンコ球９の払出し動作が実行されない。
【００４０】
正常な駆動指令（６ＣＨ）が出力されるようにパラレル信号線５２〜５９が入替えられたときには個数指令の指令内容が異常になるか、現状個数に止められるか、現状個数より少なくなるので、パチンコ球９が不正に多く払出されることが防止される。以下、パラレル信号線５２〜５９の多数の入替状態のうちから２種類を例示し、個数指令が異常になる様子を説明する。
【００４１】
パラレル信号線５２と５５とが入替えられた場合には、図１の（ｃ）に示すように、駆動指令（６ＣＨ）が成立する。しかしながら、個数指令が異常な（Ｃ５Ｈ）になるので、パチンコ球９の払出し動作が実行されない。
【００４２】
パラレル信号線５２と５９とが入替えられ、しかも、パラレル信号線５３と５６とが入替えられた場合には、図１の（ｄ）に示すように、駆動指令（６ＣＨ）が成立する。しかしながら、個数指令が異常な（９ＣＨ）になるので、パチンコ球９の払出し動作が実行されない。
【００４３】
上記実施例によれば、個数指令（１１Ｈ〜ＦＦＨ）の指令内容が増加するように信号線５２〜５９が入替えられたときには駆動指令（６ＣＨ）を不成立にし、しかも、駆動指令（６ＣＨ）が成立するように信号線５２〜５９が入替えられたときには個数指令の指令内容が少なくとも増えないように信号を配列した。このため、信号線５２〜５９が入替えられたときには少なくとも所定個数を越えるパチンコ球９が払出されないようになるので、パチンコ球９の不正な獲得が防止される。
【００４４】
尚、上記実施例においては、駆動指令を６ＣＨに設定したが、これに限定されるものではなく、例えば３５Ｈ，３６Ｈ，３９Ｈ，３ＡＨ，５３Ｈ，５６Ｈ，５９Ｈ，５ＣＨ，６３Ｈ，６５Ｈ，６ＡＨ，６ＣＨ，９３Ｈ，９５Ｈ，９ＡＨ，９ＣＨ，Ａ３Ｈ，Ａ６Ｈ，Ａ９Ｈ，ＡＣＨ，Ｃ５Ｈ，Ｃ６Ｈ，Ｃ９Ｈ，ＣＡＨのいずれかに設定しても良く、要は上下位の４ビットで同種の要素を２個ずつ有し且つ上下位の４ビットが相違する１バイトのパラレル信号に設定すれば良い。
【００４５】
また、上記実施例においては、駆動指令および個数指令を１バイトのパラレル信号（６ＣＨおよび１１Ｈ〜ＦＦＨ）に設定したが、これに限定されるものではなく、例えば駆動指令を３バイトのパラレル信号（例えばＦ０Ｈ，ＣＣＨ，ＡＡＨ）に設定し、個数指令を１バイトのパラレル信号（例えば０７Ｈ）に設定しても良く、要は個数指令の指令内容が増加するように信号線５２〜５９が入替えられたときには駆動指令が不成立になり、駆動指令が成立するように信号線５２〜５９が入替えられたときには個数指令の指令内容が少なくとも増えないようにすれば良い。
【００４６】
また、上記実施例においては、駆動指令および個数指令を８ビットのパラレル信号に設定したが、これに限定されるものではなく、例えば４ビット，１６ビット，３２ビット，６４ビットのパラレル信号に設定し、メイン制御装置２２から賞球制御装置４８に駆動指令および個数指令を４本の信号線，１６本の信号線，３２本の信号線，６４本の信号線を通して送信しても良い。
【００４７】
また、上記実施例においては、駆動指令および個数指令の少なくとも一方が異常なときにはパチンコ球９の払出し動作を実行しないようにしたが、これに限定されるものではなく、例えば下記（１）または（２）のように構成しても良い。
（１）駆動指令および個数指令の少なくとも一方が異常なときにはパチンコ球９の払出し動作を実行せず、賞球制御装置４８からメイン制御装置２２に異常信号を送信する。そして、メイン制御装置２２からホールコンピュータ等の外部機器に異常信号を送信し、ホールコンピュータ等がディスプレイに異常発生を表示するようにする。
（２）駆動指令および個数指令の少なくとも一方が異常なときにはパチンコ球９の払出し動作を実行せず、賞球制御装置４８からメイン制御装置２２に異常信号を送信する。そして、メイン制御装置２２から表示制御装置１７等の内部機器に異常信号を送信し、表示制御装置１７が図柄表示装置１６に異常発生を表示するようにする。
【００４８】
また、上記実施例においては、払出し機構３６のスプロケット３９を払出しモータ４２の回転軸に連結したが、これに限定されるものではなく、例えば払出しソレノイドのプランジャにクランク機構を介して連結し、払出しソレノイドのプランジャが進退する毎にスプロケット３９を図７の反時計回り方向へ設定量Ｒだけ回転駆動させても良い。
【００４９】
上記実施例には特許請求の範囲に記載された発明に加えて次の［発明１］〜［発明４］が記載されている。
［発明１］
球タンク内のパチンコ球を上皿内に払出す払出し機構と、前記払出し機構を駆動制御する制御手段と、所定個数のパチンコ球の払出し指令を前記制御手段に複数本の信号線を通して送信する指令手段とを備え、前記指令手段は前記複数本の信号線が入替えられたときに少なくとも所定個数を越えるパチンコ球が払出されないように前記払出し指令を送信することを特徴とするパチンコ機。
［発明２］
前記指令手段は複数本の信号線が入替えられたときに少なくとも所定個数を越えるパチンコ球が払出されない信号配列の払出し指令を送信することを特徴とする発明１に記載のパチンコ機。
【００５０】
発明１および２によれば複数本の信号線が入替えられたときには、例えばパチンコ球が払出されなかったり、所定個数以下のパチンコ球が払出されるので、パチンコ球の不正な獲得が防止される。
［発明３］
前記指令手段は前記払出し機構の駆動を指令するＮビットの駆動指令およびパチンコ球の払出し個数を指令するＮビットの個数指令からなる払出し指令を前記制御手段にＮ本の信号線を通して送信する（Ｎは２以上の自然数）ことを特徴とする発明１または２に記載のパチンコ機。
［発明４］
前記駆動指令は上下位の４ビットで同種の要素を２個ずつ有し且つ上下位の４ビットが相違する１バイトの信号からなり、前記個数指令は、上下位の４ビットが同一な１バイトの信号からなることを特徴とする発明３に記載のパチンコ機。
【００５１】
発明３および４によれば、複数本の信号線が入替えられたときには駆動指令が不成立になってパチンコ球が払出されないか、個数指令の指令内容が少なくとも増えずに払出し個数が現状値以下に止められるので、パチンコ球の不正な獲得が防止される。
【符号の説明】
【００５２】
８は上皿、９はパチンコ球、２２はメイン制御装置（指令手段）、３４は球タンク、３６は払出し機構、４８は賞球制御装置（制御手段）、５２〜５９はパラレル信号線（信号線）を示す。
【図１】
0004415091.tif 000002
【図２】
0004415091.tif 000003
【図３】
0004415091.tif 000004
【図４】
0004415091.tif 000005
【図５】
0004415091.tif 000006
【図６】
0004415091.tif 000007
【図７】
0004415091.tif 000008